(57)【特許請求の範囲】
【請求項１】
屋根側端部に取り付けて装飾破風を構成する破風化粧板において、
屋根側端部の上方を覆う上部被覆部と側方を覆う側部被覆部と下方を覆う下部被覆部とを有して断面略コ字状に形成され、
前記上部被覆部の端部に屋根側端部の水切り板に係合する係合部が設けられ、
一側の端部には当該端部から突出していて他の破風化粧板の上部被覆部、側部被覆部及び下部被覆部の内面に各々接合する上面部、側面部及び下面部を有する継手部が突設されているとともに、この継手部の前記上面部の突出幅が前記下面部の突出幅よりも大きく設けられた構成を有することを特徴とする破風化粧板。
【請求項２】
継手部の先端部に、その側面部の下部から下面部に亘る切欠き部が設けられた構成を有することを特徴とする請求項１に記載の破風化粧板。
【請求項３】
下部被覆部に上方へ凹んだ凹溝を設けるとともに、この凹溝内の屋外側の壁面に屋根裏空間を換気するための通気孔が複数列設された構成を有することを特徴とする請求項１又は２に記載の破風化粧板。
【請求項４】
上面に水切り板が取り付けられた屋根側端部に破風化粧板同士を互いの端部を継ぎ合わせて取り付ける方法において、
請求項１〜３の何れかに記載の破風化粧板を屋根側端部の軒側に取り付ける工程と、
前記取り付けられた軒側の破風化粧板の継手部の先端側に、棟側に取り付ける破風化粧板の端部を配置し、当該棟側の破風化粧板の上部被覆部の係合部を水切り板に係合させる工程と、
前記係合部と水切り板との係合部位を支点として棟側の破風化粧板を回転させて、棟側の破風化粧板の上部被覆部を軒側の破風化粧板の継手部の上面部に重ね合せるとともに、棟側の破風化粧板の下部被覆部を軒側の破風化粧板の継手部先端部の上面部の下方に位置する空隙部分に入り込ませる工程と、
棟側の破風化粧板を軒側にスライドさせて、当該棟側の破風化粧板の端部を軒側の破風化粧板の継手部の外周面に嵌合させる工程と、
を有することを特徴とする破風化粧板の取り付け方法。
【発明の詳細な説明】
【技術分野】
【０００１】
本発明は、屋根の妻側端部であるケラバに装飾破風を構成する破風化粧板とその取り付け方法に関する。
【背景技術】
【０００２】
家屋の切妻屋根廻りの造作において、妻側端部の意匠性を高めて見栄えを良くするために、塩化ビニル樹脂シートなどで被覆された樹脂被覆鋼板を用いて破風板状に形成された化粧板を、屋根側端部に複数枚を一体に連ねて取り付けて、ケラバに装飾破風を構成することがある。
【０００３】
従来の破風化粧板としては、例えば図１１に示されるように、長尺な樹脂被膜鋼板をベンダーなどで折り曲げて、屋根側端部の上方を覆う上部被覆部１０１と側方を覆う側部被覆部１０２と下方を覆う下部被覆部１０３とを有して断面略コ字状に形成されたものが知られている。
かかる破風化粧板１００を用いた装飾破風の施工は、図１２に示されるように、先ず屋根側端部１１０の軒側端部に破風化粧板１００Ａを取り付け、次いで軒側の破風化粧板１００Ａに連ねて棟側に破風化粧板１００Ｂを取り付ける手順で行われるが、これら破風化粧板１００Ａ，１００Ｂの取り付けは、図１３（Ａ）〜（Ｃ）に示されるように、屋根側端部１１０の上面に取り付けられた水切り板１１１の上端に、破風化粧板１００の上部被覆部１０１を係合し、この係合部を軸として破風化粧板１００を回転させつつ下部被腹部１０３を押し広げながら、屋根側端部１１０の下方に下部被腹部１０３を押し込んで組み付け、組み付けた破風化粧板１００の位置を調整した後、釘やボルトなどの固定具１１２で固定することにより行っていた（例えば特許文献１，２参照）。
【０００４】
また、図１４（Ａ）に示されるように、屋根側端部１１０の上方を覆う上部被覆部２０１と、側方を覆う側部被覆部２０２と、下方を覆う換気孔２０３ｂ付き下部被覆部２０３とを別体に形成して破風化粧板２００を構成し、同図（Ｂ）に示されるように、側部被覆部２０２、下部被覆部２０３、上部被覆部２０１の順で各々互いに端部同士を接合し或いは係合させながら取り付け位置を調整した上で固定具１１２により固定して屋根側端部１１０に取り付ける構造のものが知られている（例えば特許文献３参照）。
【先行技術文献】
【特許文献】
【０００５】
【特許文献１】特開２００２−２４２３９４号公報
【特許文献２】特開２００６−８９９７３号公報
【特許文献３】特開２０１１−２３６６９５号公報
【発明の概要】
【発明が解決しようとする課題】
【０００６】
上部被覆部２０１、側部被覆部２０２及び下部被覆部２０３が別体の破風化粧板２００は、各部材が不揃いに取り付けられて妻側端部の見栄えが損なわれることを防ぐため、各部材の固定位置を精密に調整する必要があり、取り付けに手間と時間を要する。
これに対し、断面略コ字状に形成された破風化粧板１００は各被覆部を一体に設けてあるため、精密な固定位置の調整は不要であり、少ない作業工数で取り付けることが可能である。
【０００７】
しかし、破風化粧板１００の下部被覆部１０３を押し広げるのにある程度の力を要し、また、力を入れ過ぎたのでは破風化粧板１００が変形してしまうため、屋根側端部１１０に破風化粧板１００を組み付ける作業は下部被覆部１０３のみを弾性変形させて慎重に行わなければならず、破風化粧板２００ほどではないにしても、取り付けに手間と時間を要することに変りはない。
また、図示した破風化粧板１００は、側部被覆部１０２の下端部で下部被覆部１０３が直角に屈曲した形状であるため、一人の作業者で下部被覆部１０３を押し広げて屋根側端部１１０に組み付けることが可能であるが、破風化粧板の形状によっては、例えば各被覆部を一体に設けて形成された破風化粧板の下部被覆部の面内に凹凸部を設けたり通気孔付きの凹溝を設けたりするなど断面形状が複雑な形態のものでは、下部被覆部或いは破風化粧板全体の剛性が高くなって下部被覆部の押し広げがし難くなり、複数人の作業者によらなければ破風化粧板の組み付けができず、装飾破風の施工に要する作業工数が多くならざるを得ない場合もある。
【０００８】
本発明は従来技術の有するこのような問題点に鑑み、複雑な断面形状の破風化粧板であっても、一人の作業者による簡単な取り付け作業で、破風化粧板を屋根側端部に沿って確実且つ奇麗に取り付けてケラバに装飾破風を構成し、屋根の妻側端部を見栄え良く装飾できるようにすることを課題とする。
【課題を解決するための手段】
【０００９】
前記課題を解決するため本発明は、屋根側端部に取り付けて装飾破風を構成する破風化粧板において、屋根側端部の上方を覆う上部被覆部と側方を覆う側部被覆部と下方を覆う下部被覆部とを有して断面略コ字状に形成され、前記上部被覆部の端部に屋根側端部の水切り板に係合する係合部が設けられ、一側の端部には当該端部から突出していて他の破風化粧板の上部被覆部、側部被覆部及び下部被覆部の内面に各々接合する上面部、側面部及び下面部を有する継手部が突設されているとともに、この継手部の前記上面部の突出幅（Ｗ１）が前記下面部の突出幅（Ｗ２）よりも大きく設けられた構成を有することを特徴とする（図３参照）。
【００１０】
前記構成の破風化粧板は、継手部の先端部に、その側面部の下部から下面部に亘る切欠き部を設けて構成することができる。また、継ぎ手部の先端側端面を、その上面部先端側から下面部根元側に傾斜するように設けて構成してもよい。
【００１１】
これによれば、破風化粧板はその端部に突出させた継手部を棟側に向けて屋根側端部に取り付けられる。継手部が、その下面部よりも上面部の突出幅が大きく設けられており、継手部の先端部において上面部の下側が空隙部分となっているので、この破風化粧板の継手部に屋根側端部の棟側に取り付けられる他の破風化粧板を継ぎ合わせる際に、棟側の破風化粧板の下部被覆部を押し広げなくとも、前記継手部の空隙部分に棟側の破風化粧板の端部をあてがうことで、継手部の下方に棟側の破風化粧板の下部被覆部を入り込ませ、その後、棟側の破風化粧板を軒側へスライドさせて、その端部を継手部の外周面に嵌合することで、両破風化粧板を一つ続きに継ぎ合わせることができる。
【００１２】
すなわち、上面に水切り板が取り付けられた屋根側端部に、破風化粧板同士を互いの端部を継ぎ合わせて取り付ける作業手順は、先ず、前記構成の破風化粧板を屋根側端部の軒側に取り付ける。この際、屋根側端部の軒側先端への破風化粧板の取り付けは、屋根側端部の軒側先端の前方に、破風化粧板をその継手部が突出した後端部側を棟側に向けて配置し、これを軒側にスライドさせて屋根側端部の軒側先端部に重ね合わせて装着し、取り付け位置を調整した後、釘やボルトなどの固定具で屋根側端部に留め付けて行ってもよい。
次いで、取り付けられた軒側の破風化粧板の継手部の先端側に、棟側に取り付ける破風化粧板の端部を配置し、この棟側の破風化粧板の上部被覆部の係合部を水切り板に係合させる。このとき、軒側の破風化粧板の継手部の端部表面にシーリング材を予め塗布しておく。
棟側の破風化粧板の上端部の係合部を水切り板に係合させたならば、前記係合部と水切り板との係合部位を支点として、棟側の破風化粧板を下方へ回転させて、棟側の破風化粧板の上部被覆部を軒側の破風化粧板の継手部の上面部に重ね合せるとともに、棟側の破風化粧板の下部被覆部を軒側の破風化粧板の継手部先端部の上面部の下方に位置する空隙部分に入り込ませる。
そして、棟側の破風化粧板を軒側にスライドさせて、棟側の破風化粧板の先端部を前記軒側の破風化粧板の継手部の外周面に嵌合させる。その後、軒側の破風化粧板に継ぎ合わせた棟側の破風化粧板を固定具で屋根側端部に留め付けることで、取り付けが完了する。上記のようにして屋根側端部に取り付けられた破風化粧板に、さらに棟側に破風化粧板を取り付けるときは、前記と同様の手順で取り付けを行うことができる。
【００１３】
本発明によれば、破風化粧板の端部に突出させた継手部の上面部の突出幅を下面部よりも大きく設け、継手部の先端部において上面部の下側が空隙部分となっているので、棟側に接続する破風化粧板がその下部被覆部に凹溝が設けるなどして複雑な断面形状のものであっても、接続する破風化粧板の端部を前記継手部の空隙部分にあてがうことで、接続する破風化粧板を変形させることなくその端部を継手部の外周面に装着することができる。
この際、接続する破風化粧板の上部被覆部に設けた係合部を水切り板に係合させた状態で破風化粧板を回転させて下方へ引き下げれば、破風化粧板の端部が継手部の外周面に装着し、続いて破風化粧板を軒側へスライドさせれば、端部を継手部に嵌合させることができる。
このように、破風化粧板同士の接続を、接続する破風化粧板を水切り板に係合させて下方へ回転し、次いでこれを軒側へスライドさせるという簡単な操作によって行うことができ、従来の如く破風化粧板の下部被覆部を押し広げる操作も不要なので、一人の作業者による少ない作業工数で、破風化粧板を屋根側端部に沿って確実且つ奇麗に取り付けてケラバに装飾破風を構成することが可能となる。
【００１４】
また、前記構成の破風化粧板において、下部被覆部に上方へ凹んだ凹溝を設けるとともに、この凹溝内の屋外側の壁面に屋根裏空間を換気するための通気孔を複数列設して構成することができる。
屋根側端部の下方を覆う破風化粧板の下部被覆部に上方へ運んだ凹溝を設け、この凹溝の壁面に通気孔が形成してあれば、通気孔から外気を家屋の内部に取り入れて屋根裏空間へと流入させることで、屋根裏空間の換気を十分に行うことができる。通気孔は、凹溝内の屋外側の壁面に形成してあるので、降雨時に通気孔から化粧板内部に雨水が浸入し難く、また、屋根側端部を下から見上げても通気孔が目に触れることもなく、破風化粧板によりケラバを見栄え良く納めることができる。
【００１５】
この場合、破風化粧板を本体化粧板と破風受板により構成し、通気孔を有する凹溝が設けられた下部被覆部が、本体化粧板の側部被覆部の下端部に設けた、当該下端部から上方へ折り返され且つ先端を家屋側へ屈曲させてなる折り返し面部に、一端部を軒天井に取り付けてなる破風受板の他端部を接続して構成することができる。破風化粧板を本体化粧板と破風受板の二つの部材により構成することにより、破風化粧板の取り付けに要する作業工数が減り、部材の加工性と取り付け作業性の向上が図れる。
また、前記通気孔付きの凹溝は本体化粧板と破風化粧板の何れかの側に設けることができるが、凹溝を挟んでその屋外側の壁面に本体化粧板の折り返し面部の側壁、家屋側の壁面に破風受板の側壁が対向配置されるように構成すれば、本体化粧板と破風受板の接続部位が凹溝内に位置して、屋根側端部を下から見上げても接続部位が目に付かず、前記通気孔が目に触れにくいことと相俟って屋根側端部の造作がスッキリとしたより見栄えの良いものとなる。
【図面の簡単な説明】
【００１６】
【図１】本発明の一実施形態の破風化粧板を取り付けてケラバに装飾破風を構成した屋根側端部の下側を、一部を破断して示した外観図である。
【図２】図１における屋根側端部の要部断面図である。
【図３】図１の軒側破風化粧板の外観斜視図である。
【図４】図３の破風化粧板の構成を示す展開斜視図である。
【図５】（Ａ）は破風化粧板の通気孔が形成された部分の要部拡大断面図、（Ｂ）はＢ−Ｂ線断面図である。
【図６】（Ａ）は図３の破風化粧板を構成する本体化粧板と破風受板の断面図、（Ｂ）は両板を連結し且つ継手部を取り付けた状態の破風化粧板の断面図である。
【図７】軒側破風化粧板を屋根側端部に取り付ける作業工程を説明するための図である。
【図８】破風化粧板を屋根側端部に取り付ける際の操作を説明するための図である。
【図９】（Ａ）は棟側破風化粧板の継手部が突出された側の拡大図、（Ｂ），（Ｃ）はこれに棟側破風化粧板を接続する作業工程を説明するための図である。
【図１０】（Ａ）は本発明の他の実施形態の破風化粧板の継手部が突出された側の拡大図、（Ｂ）はこれに他の破風化粧板を接続する作業工程を説明するための図である。
【図１１】従来の破風化粧板の一例の断面図である。
【図１２】図１１の破風化粧板を屋根側端部に取り付ける状態を示した図である。
【図１３】（Ａ）〜（Ｃ）は図１１の破風化粧板を屋根側端部に取り付ける際の操作を説明するための図である。
【図１４】（Ａ）は換気孔を備えた従来の破風化粧板の構成しめす要部斜視図、（Ｂ）は破風化粧板を取り付けた屋根側端部の要部断面図である。
【発明を実施するための形態】
【００１７】
本発明の好適な実施形態を、図面を参照して説明する。
図１は本発明の一実施形態の破風化粧板を取り付けてケラバに装飾破風を構成した屋根側端部下方の外観図、図２は破風化粧板を屋根側端部に取り付けた状態を示す断面図、図３は破風化粧板の外観斜視図、図４はその展開斜視図である。
【００１８】
図１に示されるように、ケラバに構成された装飾破風１は、屋根側端部２の棟側から軒側に亘りその周囲を覆うようにして破風化粧板３を取り付けて、恰も破風板が取り付けられた如き外観にケラバを装飾したものである。
【００１９】
破風化粧板３は、図１及び図２に示されるように、屋根側端部２の上方を覆う上部被覆部３１と、側方を覆う側部被覆部３２と、下方を覆う下部被覆部３３とを有して断面略コ字状をなし、本形態では屋根側端部２の軒側に取り付けられる軒側破風化粧板３Ａと、棟側に取り付けられる棟側破風化粧板３Ｂとに分割して形成してある。
【００２０】
詳しくは、本形態の破風化粧板３は、軒側破風化粧板３Ａと棟側破風化粧板３Ｂがともに、屋根側端部２の上方、側方及び下方の一部を覆う本体化粧板４と、本体化粧板４とともに屋根側端部２の下方を覆う破風受板５の二つの部材を接続して構成され、さらに軒側破風化粧板３Ａはその端部に継手部６を一体に取り付けて構成してある。
本体化粧板４、破風受板５及び継手部６は、表面を塩化ビニル樹脂シートで覆うなどの耐蝕加工が施された樹脂被覆鋼板をベンダーなどで折り曲げて形成してある。各板を形成する鋼板としては、例えば厚みが０．４ｍｍの鋼板の表面を０．２５ｍｍ厚の塩化ビニル樹脂シートで被覆し、裏面を０．１ｍｍ厚の塩化ビニル樹脂シートで被覆した樹脂被覆鋼板が好適である。
【００２１】
本体化粧板４は、図４に示されるように、前記上部被覆部３１と側部被覆部３２を構成する、屋根側端部２の上方と側方を覆う上面部４１及び側面部４２とを備えて形成され、屋根側端部２を覆うように本体化粧板４を設置した状態で、側面部４２の面内に形成された断面コ字状の凹部４２ａにビスや釘などの固着具Ｎを打ち込むことにより、屋根側端部２の側面に固定されるようになっている。
より詳しくは、上面部４１の先端下折れ部には後述する水切り板７に係合する係合部４１ａが設けられ、側面部４２の下端部には家屋側に向かって略直角に折り曲げられた下面部４３が設けられているとともに、当該下面部４３の先端に上方へ折り返され且つ先端を家屋側へ屈曲させてなる折り返し面部４４を連ね、さらに折り返し面部４４の先端に下方へ折り曲げた係止片４５を設けて形成してある。また、折り返し面部４４の屋外側の側壁４４ａには、図５に示されるように、パンチング加工により形成されたスリット状の通気孔４６を複数列設してある。
【００２２】
破風受板５は、図４に示されるように、屋根側端部２の下方の一部を覆う幅を有する下面部５１の前端に、上方へ略直角に折れ曲がっていて上部に水平折れ面部５３を連ねてなる側壁５２、後端に家屋側に向かって開口していて後述する軒天井８の端部が係入する係止凹部５４をそれぞれ一体に設けて形成してある。
【００２３】
継手部６は、図４に示されるように、前記破風化粧板３の上部被覆部３１、側部被覆部３２及び下部被覆部３３の内面に各々接合する上面部６１、側面部６２及び下面部６３を有して断面略コ字状に形成されており、その一側の端部に、側面部６２の下部から下面部６３に亘り切除した切欠き部６４を設けて形成してある。
【００２４】
これら本体化粧板４と破風受板５からなる軒側と棟側の破風化粧板３Ａ，３Ｂは、図６に示されるように、本体化粧板４の折り返し面部４４の上面に、破風受板５の水平折れ面部５３を重ね合わせた状態で、折り返し面部４４の上面に設けた孔部４４ｂと水平折れ面部５３に設けた孔部５３ａにブラインドリベットなどの固着具Ｎを嵌入して両面部を一体に固着することにより構成され、さらに軒側破風化粧板３Ａは、同図（Ｂ）に示されるように、連結した本体化粧板４と破風受板５の一側の端部内面に継手部６を一体に取り付けて構成される。継手部６の取り付けは、予め継手部６の接合端部にシーリング材を塗布しておき、この接合端部を前記連結した本体化粧板４と破風受板５の一側の端部内面に嵌め合せて固着し、さらに、継手部６の上面部６１と本体化粧板４の上面部４１の重なり部に固着具Ｎを打ち込んで両部を留め付けることにより行うことができる。
【００２５】
一体に連結した本体化粧板４と破風受板５は、屋根側端部２の下方を覆う下部被覆部３３を構成し、また、両板の連結部であって互いに重合した前記折り返し面部４４の上面と水平折れ面部５３の下側には、折り返し面部４４の側壁４４ａと破風受板５の側壁５２が対向配置されてなる、上方へ凹んだ凹溝３４が形成され、この凹溝３４の屋外側の壁面に屋根裏空間を換気するための通気孔４６が列設配置される。
【００２６】
また、一側の端部内面に継手部６を一体に取り付けた軒側破風化粧板３Ａは、図３に示されるように、その後端である棟側の端部に継手部６が突設して形成され、前記の通り、継手部６の端部に切欠き部６４を設けてあることにより、継手部６の上面部６１の突出幅（Ｗ１）が下面部６３の突出幅（Ｗ２）よりも大きくなり、上面部６１の下方に切欠け部６４による空隙部が配置されるように構成される。
【００２７】
このように構成される破風化粧板３は、先に軒側破風化粧板３Ａ、次いで棟側破風化粧板３Ｂの順で屋根側端部２に取り付けられる。
【００２８】
先ず、軒側破風化粧板３Ａの取り付けは、屋根側端部２に軒側破風化粧板３Ａをあてがい、屋根の側端部上面に取り付けられた水切り板７に、前記本体化粧板４の上面部４１に設けた係合部４１ａを係合させて取り付け位置を位置決めした状態で、前記本体化粧板４の側面部４２に設けられた凹部４２ａ内に固着具Ｎを打ち込むとともに、前記上面部４１と水切り板７の係合部位に固着具Ｎを打ち込んで、軒側破風化粧板３Ａを屋根側端部２に固定することにより行うことができる。
【００２９】
次いで、屋根側端部２に固定された軒側破風化粧板３Ａの棟側の端部に、棟側破風化粧板３Ｂを接続して取り付ける。このとき、図７に示されるように、予め軒側破風化粧板３Ａの継手部６の端部表面にシーリング材８を塗布しておく。
【００３０】
棟側破風化粧板３Ｂの取り付けは、先ず、軒側破風化粧板３Ａの継手部６の先端側に、棟側破風化粧板３Ｂの先端側端部を配置し、棟側破風化粧板３Ｂの前記上端部に設けられた係合部４１ａを水切り板７に係合させた状態で、図８に示されるように、前記係合部４１ａと水切り板７との係合部位を支点として棟側破風化粧板３Ｂを下方へ回転させて、棟側破風化粧板３Ｂの前記本体化粧板４の上面部４１を軒側破風化粧板３Ａの継手部６の上面部６１に重ね合せるとともに、図９（Ｂ）に示されるように、棟側破風化粧板３Ｂの下部被覆部３３を構成する破風受板５を前記継手部６の上面部６１の下方に位置する切欠け部６４内に入り込ませ、棟側破風化粧板３Ｂの端部を継手部６に装着する。
【００３１】
次いで、図９（Ｃ）に示されるように、棟側破風化粧板３Ｂを軒側にスライドさせて、棟側破風化粧板３Ｂの先端部を軒側破風化粧板３Ａの継手部６の外周面に嵌合させて、両板の端部同士を一体に継ぎ合わせる。この際、継手部６と棟側破風化粧板３Ｂの端部との接合部を、棟側破風化粧板３Ｂの側面部４２の凹部４２ａから固着具Ｎを打ち込んで留め付ける。
【００３２】
そして、前記と同様にして、棟側破風化粧板３Ｂを固定具Ｎで屋根側端部２に固定した後、図２に示されるように、一体に接続した両破風化粧板３Ａ，３Ｂの破風受板５，５の端部をそれぞれ屋根側端部２の下面に固着具Ｎで固定し、両破風受板５，５の係止凹部５４に軒天井９の端部を係合させて支持することにより、破風化粧板３の取り付けが完了する。
【００３３】
図１０は、破風化粧板３の他の形態を示しており、破風化粧板３の棟側の端部に突設される継手部６を、その先端側端面が上面部６１の先端側から下面部６３の根元側に向かって傾斜するように設けることにより、上面部６１の突出幅が下面部６３の突出幅よりも大きくなるようにして、上面部６１の下方に空隙部が配置されるように構成したものである。
このような破風化粧板３においても、同図（Ｂ）に示されるように、前記と同様にして、棟側に接続する破風化粧板３Ｂの先端部下側を、継手部６の上面部６１下方の空隙部分に入り込ませることにより、棟側の破風化粧板３Ｂの端部を継手部６に簡単に装着して、両板の端部同士を一体に継ぎ合わせることができる。
【００３４】
本発明によれば、軒側破風化粧板３Ａの端部に突出させた継手部６の上面部６１の突出幅を下面部６３よりも大きく設け、継手部６の先端部において上面部６１の下側が空隙部分となっているので、これに接続する棟側破風化粧板３Ｂがその断面形状が複雑なものであっても、棟側破風化粧板３Ｂの端部を前記継手部６の空隙部分にあてがうことで継手部６に簡単に装着することができる。この際、棟側破風化粧板３Ｂの上部被覆部３１に設けた係合部４１ａを水切り板７に係合させた状態で棟側破風化粧板３Ｂを回転させて下方へ引き下げれば、その端部が継手部６の外周面に装着し、続いて棟側破風化粧板３Ｂを軒側へスライドさせれば、端部を継手部６に嵌合させることが可能である。
このように、破風化粧板３Ａ，３Ｂ同士の接続を、接続する破風化粧板３Ｂを水切り板７に係合させて下方へ回転し、次いでこれを軒側へスライドさせるという簡単な操作によって行うことができ、破風化粧板３Ｂを変形される操作も不要なので、一人の作業者による少ない作業工数で、破風化粧板を屋根側端部に沿って確実且つ奇麗に取り付けてケラバに装飾破風を構成することが可能となる。
【００３５】
本発明の破風化粧板３によれば、屋根側端部２の下方を覆う下部被覆部３３に上方へ運んだ凹溝３４を設け、この凹溝３４の壁面に通気孔４６を形成してあるので、通気孔４６から外気を取り入れて屋根裏空間へと流入させることで、屋根裏空間の換気を十分に行うことができる。通気孔４６は、凹溝３４内の屋外側の壁面に形成してあるので、降雨時に通気孔４６から化粧板内部に雨水が浸入し難く、また、屋根側端部２を下から見上げても通気孔４６が目に触れることもなく、破風化粧板３によりケラバを見栄え良く納めることができる。
【００３６】
なお、図示した破風化粧板３は本発明の実施形態の一例を示すものであり、本発明はこれらに限定されず、取り付ける屋根側端部の形状や寸法などに応じて、他の適宜な形態で構成することが可能である。
【符号の説明】
【００３７】
１  装飾破風、２  屋根側端部、３  破風化粧板、３Ａ  軒側破風化粧板、３Ｂ  棟側破風化粧板、３１  上部被覆部、３２  側部被覆部、３３  下部被覆部、３４  凹溝、４  本体化粧板、４１  上面部、４１ａ  係合部、４２  側面部、４３  下面部、４４  折り返し面部、４４ａ  側壁、４５  係合片、４６  通気孔、５  破風受板、５１  下面部、５２  側壁、５３  水平折れ面部、６  継手部、６１  上面部、６２  側面部、６３  下面部、６４  切欠け部、７  水切り板、８  シーリング材、９  軒天井、Ｎ  固着具
【図１】
0006017847.tif 000002
【図２】
0006017847.tif 000003
【図３】
0006017847.tif 000004
【図４】
0006017847.tif 000005
【図５】
0006017847.tif 000006
【図６】
0006017847.tif 000007
【図７】
0006017847.tif 000008
【図８】
0006017847.tif 000009
【図９】
0006017847.tif 000010
【図１０】
0006017847.tif 000011
【図１１】
0006017847.tif 000012
【図１２】
0006017847.tif 000013
【図１３】
0006017847.tif 000014
【図１４】
0006017847.tif 000015